【手続補正書】
【提出日】平成16年6月22日(2004.6.22)
【手続補正１】
【補正対象書類名】明細書
【補正対象項目名】発明の名称
【補正方法】変更
【補正の内容】
【発明の名称】データ記憶装置及びデータ記憶方法及びコンピュータ読み取り可能なプログラムが格納された記憶媒体
【手続補正２】
【補正対象書類名】明細書
【補正対象項目名】特許請求の範囲
【補正方法】変更
【補正の内容】
【特許請求の範囲】
【請求項１】
原データを格納するデータ記憶手段と、
外部装置からの要求に基づいて、出力データを前記原データから生成する出力データ生成手段と、
前記出力データ生成手段により生成された出力データに対し、他の出力データの名称を類推困難な名称に設定する名称設定手段と、
前記名称設定手段により設定された名称を付与して前記外部装置へ前記出力データを出力する出力手段と、
を有することを特徴とするデータ記憶装置。
【請求項２】
前記名称設定手段は、乱数変換を用いて前記出力データに名称を設定することを特徴とする請求項１記載のデータ記憶装置。
【請求項３】
前記出力データを所定の間、前記データ記憶手段に格納しておき、削除要求に基づいて前記出力データを削除する削除手段を有することを特徴とする請求項１記載のデータ記憶装置。
【請求項４】
前記削除要求は、前記外部装置からの接続終了情報であることを特徴とする請求項３記載のデータ記憶装置。
【請求項５】
前記削除要求は、前記外部装置からの最後の要求から所定時間経過したときに発生することを特徴とする請求項３記載のデータ記憶装置。
【請求項６】
前記データ記憶手段に格納されているデータを管理する管理手段を有し、
前記管理手段は、前記原データと、前記出力データと、前記名称設定手段により設定された名称とを関連付けて管理することを特徴とする請求項１記載のデータ記憶装置。
【請求項７】
前記管理手段は、前記原データの識別情報と、前記出力データの名称と、出力データにアクセスした時間とを記憶した管理テーブルに基づいて管理することを特徴とする請求項６記載のデータ記憶装置。
【請求項８】
原データを記憶部に格納するデータ記憶工程と、
外部装置からの要求に基づいて、出力データを前記原データから生成する出力データ生成工程と、
前記出力データ生成工程で生成された出力データに対し、他の出力データの名称を類推困難な名称に設定する名称設定工程と、
前記設定された名称を付与して前記外部装置へ前記出力データを出力する出力工程と、
を有することを特徴とするデータ記憶方法。
【請求項９】
前記名称設定工程では、乱数変換を用いて前記出力データに名称を設定することを特徴とする請求項１記載のデータ記憶方法。
【請求項１０】
前記出力データを所定の間、前記記憶部に保持しておき、削除要求に基づいて前記出力データを前期記憶部から削除する削除工程を有することを特徴とする請求項１記載のデータ記憶方法。
【請求項１１】
前記削除要求は、前記外部装置からの接続終了情報であることを特徴とする請求項３記載のデータ記憶方法。
【請求項１２】
前記削除要求は、前記外部装置からの最後の要求から所定時間経過したときに発生することを特徴とする請求項３記載のデータ記憶方法。
【請求項１３】
前記記憶部に格納されているデータを管理する管理工程を有し、
前記管理工程では、前記原データと、前記出力データと、前記名称設定工程により設定された名称とを関連付けて管理することを特徴とする請求項１記載のデータ記憶方法。
【請求項１４】
前記管理工程は、前記原データの識別情報と、前記出力データの名称と、出力データにアクセスした時間とを記憶した管理テーブルに基づいて管理することを特徴とする請求項６記載のデータ記憶方法。
【請求項１５】
原データを記憶部に格納するデータ記憶工程と、
外部装置からの要求に基づいて、出力データを前記原データから生成する出力データ生成工程と、
前記出力データ生成工程で生成された出力データに対し、他の出力データの名称を類推困難な名称に設定する名称設定工程と、
前記名称設定工程で設定された名称を付与して前記外部装置へ前記出力データを出力する出力工程と、
を含むことを特徴とするコンピュータ読み取り可能なプログラムが格納された記憶媒体。
【請求項１６】
前記名称設定工程では、乱数変換を用いて前記出力データに名称を設定することを特徴とする請求項１記載の記憶媒体。
【請求項１７】
前記出力データを所定の間、前記データ記憶部に保持しておき、削除要求に基づいて前記出力データを前記記憶部から削除する削除工程を有することを特徴とする請求項１記載の記憶媒体。
【請求項１８】
前記削除要求は、前記外部装置からの接続終了情報であることを特徴とする請求項３記載の記憶媒体。
【請求項１９】
前記削除要求は、前記外部装置からの最後の要求から所定時間経過したときに発生することを特徴とする請求項３記載のデータ記憶方法。
【請求項２０】
前記記憶部に格納されているデータを管理する管理工程を有し、
前記管理工程では、前記原データと、前記出力データと、前記名称設定工程により設定された名称とを関連付けて管理することを特徴とする請求項１記載の記憶媒体。
【請求項２１】
前記管理工程では、前記原データの識別情報と、前記出力データの名称と、出力データにアクセスした時間とを記憶した管理テーブルに基づいて管理することを特徴とする請求項６記載の記憶媒体。
【手続補正３】
【補正対象書類名】明細書
【補正対象項目名】０００１
【補正方法】変更
【補正の内容】
【０００１】
【発明の属する技術分野】
本発明は、インターネットに代表されるネットワーク網を通してデータを供給するコンピュータなどの処理装置上のデータ記憶装置及びデータ記憶方法及びコンピュータ読み取り可能なプログラムが格納された記憶媒体に関するものである。
【手続補正４】
【補正対象書類名】明細書
【補正対象項目名】０００７
【補正方法】変更
【補正の内容】
【０００７】
【課題を解決するための手段】
上記目的を達成するため、本出願に係わる発明は、原データを格納するデータ記憶手段と、外部装置からの要求に基づいて、出力データを前記原データから生成する出力データ生成手段と、前記出力データ生成手段により生成された出力データに対し、他の出力データの名称を類推困難な名称に設定する名称設定手段と、前記名称設定手段により設定された名称を付与して前記外部装置へ前記出力データを出力する出力手段と、を有することを特徴とする。
【手続補正５】
【補正対象書類名】明細書
【補正対象項目名】０００８
【補正方法】変更
【補正の内容】
【０００８】
また、前記名称設定手段は、乱数変換を用いて前記出力データに名称を設定することを特徴とする。
【手続補正６】
【補正対象書類名】明細書
【補正対象項目名】０００９
【補正方法】変更
【補正の内容】
【０００９】
また、前記出力データを所定の間、前記データ記憶手段に格納しておき、削除要求に基づいて前記出力データを削除する削除手段を有することを特徴とする。
【手続補正７】
【補正対象書類名】明細書
【補正対象項目名】００１０
【補正方法】変更
【補正の内容】
【００１０】
また、前記削除要求は、前記外部装置からの接続終了情報であることを特徴とする。
【手続補正８】
【補正対象書類名】明細書
【補正対象項目名】００１１
【補正方法】変更
【補正の内容】
【００１１】
また、前記削除要求は、前記外部装置からの最後の要求から所定時間経過したときに発生することを特徴とする。
【手続補正９】
【補正対象書類名】明細書
【補正対象項目名】００１２
【補正方法】変更
【補正の内容】
【００１２】
また、前記データ記憶手段に格納されているデータを管理する管理手段を有し、前記管理手段は、前記原データと、前記出力データと、前記名称設定手段により設定された名称とを関連付けて管理することを特徴とする。
【手続補正１０】
【補正対象書類名】明細書
【補正対象項目名】００１３
【補正方法】変更
【補正の内容】
【００１３】
また、前記管理手段は、前記原データの識別情報と、前記出力データの名称と、出力データにアクセスした時間とを記憶した管理テーブルに基づいて管理することを特徴とする。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００９３
【補正方法】変更
【補正の内容】
【００９３】
【発明の効果】
以上説明したように、本発明によれば、ネットワークを介して画像等を含めたデータをユーザーに配信する際に、他のデータへの不正なアクセスが困難になることで、セキュリティを高める事が可能となる。また、画像等を含むデータを蓄積する装置の記憶媒体の実使用量を低減させることも可能となる。